(57)【特許請求の範囲】
【請求項１】
浴槽の側壁の上端面と一方の側面にそれぞれ対向するように配置される上片と縦片を設けて形成され、手摺りを取り付けた本体具と、
前記浴槽の前記側壁の他方の側面に対向して配置される押圧受け板を設けて形成される押圧受け具と、
前記本体具の前記縦片の外側に設けられた操作ハンドルと、
前記縦片の内側に設けられ、前記操作ハンドルの操作で前記浴槽の前記側壁の上記一方の側面に近接離反する方向で移動する押圧板と、
前記本体具の前記上片の上面に設けられた、前記押圧板の移動方向と平行な方向に長い複数の補強リブと、
前記補強リブの間において前記上片の上面に形成されたスライド溝とを備え、
前記押圧受け具は、前記押圧受け板が取り付けられる縦部材と、前記縦部材の上端から水平に延出するスライドバーを有して形成され、
前記スライドバーが、前記スライド溝において、前記押圧板の移動方向と平行な方向にスライドするように配置されて、前記本体具に前記押圧受け具が取り付けられて成ることを特徴とする浴槽用手摺り。
【請求項２】
前記本体具の前記上片と前記縦片とを断面倒Ｌ字形に一体に形成し、前記補強リブを、前記上片の上面から前記縦片の外面に亘って形成して成ることを特徴とする請求項１に記載の浴槽用手摺り。
【発明の詳細な説明】
【技術分野】
【０００１】
本発明は、浴槽への出入りを補助するために、浴槽の側壁に取り付けて使用される浴槽用手摺りに関するものである。
【背景技術】
【０００２】
高齢者などの入浴を介護するために、浴槽の側壁に取り付けて使用される浴槽用手摺りが従来から提供されている。この浴槽用手摺りに掴まることによって、浴槽の側壁を乗り越えて浴槽に出入りすることなどが容易になるものである。ここで、浴槽の側壁の厚みは、浴槽毎に異なるので、この種の浴槽用手摺りは幅調整をして浴槽の側壁に取り付けることができるようにしてある（例えば特許文献１、特許文献２等参照）。
【０００３】
図１３は特許文献２で提供されている浴槽用手摺りの一例を示すものであり、断面倒Ｌ型の本体具５に手摺り４を設け、断面逆向き倒Ｌ型の押圧受け具７を本体具５に重ね合わせて、ビス１３止めすることによって、本体具５に押圧受け具７を結合するようにしてある。また押圧受け具７には操作ハンドル８が設けてあり、操作ハンドル８を回すことによって、押圧板９を前進後退移動させることができるようにしてある。
【０００４】
そしてこの浴槽用手摺りは、本体具５と押圧受け具７を別部材に形成してあるので、本体具５に対する押圧受け具７の重ね合わせの結合位置を調整することによって、浴槽の側壁の大よその厚みに合わせた後、操作ハンドル８を回して押圧板９を前進させて、押圧板９を浴槽の側壁の側面に圧接させることによって、浴槽の側壁に取り付けることができるものである。
【０００５】
ここで、浴槽の側壁の厚みは、浴槽ごとに大きく異なるが、本体具５に対する押圧受け具７の重ね合わせの結合位置を調整して、本体具５と押圧受け具７の間隔を調節することによって、浴槽の側壁の厚みに対応することができるので、種々の浴槽に浴槽用手摺りを取り付けることが可能になるのである。また浴槽の側壁の厚みが薄い場合、側壁の厚みに合わせて本体具５と押圧受け具７の間隔を狭く調節しておけば、押圧板９を前進させる距離が短くなって、操作ハンドル８を回転させる回数を少なくすることができ、浴槽への浴槽用手摺りの取り付けを容易に行なうことができるものである。
【先行技術文献】
【特許文献】
【０００６】
【特許文献１】特開２００４−２６１３２７号公報
【特許文献２】特開２００５−２６１３２７号公報
【発明の概要】
【発明が解決しようとする課題】
【０００７】
上記のように本体具５と押圧受け具７を別部材に形成した浴槽用手摺りにあって、手摺り４が設けられる本体具５には入浴する人の体重が直接的に作用するので、高い強度が必要である。特に本体具５の上片２は押圧受け具７を結合する箇所であるために、強度が必要とされる。このため、本体具５は肉厚を厚く形成して強度を高めたり、あるいは鋼材のように強度が高い材料で形成したりされており、浴槽用手摺りの全体の重量が重くなるという問題があった。
【０００８】
浴槽用手摺りは、通常は浴槽から外しておき、高齢者等が入浴する際に浴槽に取り付けて使用するということが多いので、このように浴槽用手摺りの重量が重いと、浴槽用手摺りを取り付けたり取り外したりする際の取り扱い性が悪くなるものである。
【０００９】
本発明は上記の点に鑑みてなされたものであり、手摺りを設けた本体具の強度を確保しつつ軽量化することができ、しかも本体具と押圧受け具の間隔を調整する操作をスムーズに行なうことができる浴槽用手摺りを提供することを目的とするものである。
【課題を解決するための手段】
【００１０】
本発明に係る浴槽用手摺りは、浴槽の側壁の上端面と一方の側面にそれぞれ対向するように配置される上片と縦片を設けて形成され、手摺りを取り付けた本体具と、前記浴槽の前記側壁の他方の側面に対向して配置される押圧受け板を設けて形成される押圧受け具と、前記本体具の前記縦片の外側に設けられた操作ハンドルと、前記縦片の内側に設けられ、前記操作ハンドルの操作で前記浴槽の前記側壁の上記一方の側面に近接離反する方向で移動する押圧板と、前記本体具の前記上片の上面に設けられた、前記押圧板の移動方向と平行な方向に長い複数の補強リブと、前記補強リブの間において前記上片の上面に形成されたスライド溝とを備え、前記押圧受け具は、前記押圧受け板が取り付けられる縦部材と、前記縦部材の上端から水平に延出するスライドバーを有して形成され、前記スライドバーが、前記スライド溝において、前記押圧板の移動方向と平行な方向にスライドするように配置されて、前記本体具に前記押圧受け具が取り付けられて成ることを特徴とするものである。
【００１１】
本発明にあっては、前記本体具の前記上片と前記縦片とを断面倒Ｌ字形に一体に形成し、前記補強リブを、前記上片の上面から前記縦片の外面に亘って形成することが好ましい。
【発明の効果】
【００１２】
本発明によれば、本体具の上片の上面に補強リブを設けているので、手摺りを設けた本体具の強度を確保しつつ軽量化することができ、しかもスライドバーが、スライド溝において、押圧板の移動方向と平行な方向にスライドするように配置されているので、本体具と押圧受け具の間隔を調整する操作をスムーズに行なうことができるものである。
【図面の簡単な説明】
【００１３】
【図１】本発明に係る浴槽用手摺りの実施の形態の一例を示す斜視図である。
【図２】同上の分解斜視図である。
【図３】同上の浴槽用手摺りを浴槽の側壁に取り付けた状態の斜視図である。
【図４】同上の浴槽用手摺りの実施の形態の正面図である。
【図５】同上の浴槽用手摺りの実施の形態の正面断面図である。
【図６】同上の浴槽用手摺りの実施の形態を示すものであり、（ａ）は右側面図、（    ｂ）は左側面図、（ｃ）は平面図、（ｄ）は底面図である。
【図７】本発明に係る浴槽用手摺りの他の実施の形態の一例を示す斜視図である。
【図８】同上の分解斜視図である。
【図９】同上の浴槽用手摺りの他の使用形態の斜視図である。
【図１０】同上の浴槽用手摺りを浴槽の側壁に取り付けた状態の斜視図である。
【図１１】同上の浴槽用手摺りの実施の形態の正面図である。
【図１２】同上の浴槽用手摺りの実施の形態を示すものであり、（ａ）は右側面図、    （ｂ）は左側面図、（ｃ）は平面図、（ｄ）は底面図である。
【図１３】従来例を示すものであり、（ａ）は正面図、（ｂ）は一部の拡大した断面    図である。
【発明を実施するための形態】
【００１４】
以下、本発明の実施の形態を説明する。
【００１５】
本実施の形態の浴槽用手摺りＡは、浴槽の側壁１の上端面と一方の側面にそれぞれ対向するように配置される上片２と縦片３を設けて形成され、手摺り４を取り付けた本体具５を備える。また本実施の形態の浴槽用手摺りＡは、前記浴槽の前記側壁１の他方の側面に対向して配置される押圧受け板６を設けて形成される押圧受け具７を備える。また本実施の形態の浴槽用手摺りＡは、前記本体具５の前記縦片３の外側に設けられた操作ハンドル８を備える。また本実施の形態の浴槽用手摺りＡは、前記縦片３の内側に設けられ、前記操作ハンドル８の操作で前記浴槽の前記側壁１の上記一方の側面に近接離反する方向で移動する押圧板９を備える。また本実施の形態の浴槽用手摺りＡは、前記本体具５の前記上片２の上面に設けられた、前記押圧板９の移動方向と平行な方向に長い複数の補強リブ１０を備える。また本実施の形態の浴槽用手摺りＡは、前記補強リブ１０の間において前記上片２の上面に形成されたスライド溝１１を備える。そして、本実施の形態の浴槽用手摺りＡにおいて、前記押圧受け具７は、前記押圧受け板６が取り付けられる縦部材３６と、前記縦部材３６の上端から水平に延出するスライドバー１２を有して形成される。また本実施の形態の浴槽用手摺りＡは、前記スライドバー１２が、前記スライド溝１１において、前記押圧板９の移動方向と平行な方向にスライドするように配置されて、前記本体具５に前記押圧受け具７が取り付けられている。
【００１６】
本実施の形態の浴槽用手摺りＡは、前記本体具５の前記上片２の上面に前記補強リブ１０を設けている。従って、前記補強リブ１０で前記上片２を補強することができ、強度を低下させることなく前記上片２の厚みを薄くしたり、軽量なアルミニウムなどで形成したりすることが可能になり、軽量化することができるものである。また本実施の形態の浴槽用手摺りＡは、前記補強リブ１０の間に形成される前記スライド溝１１を利用して前記スライドバー１２を位置決めした状態でスライドさせることができ、前記本体具５と前記押圧受け具７の間隔の調整をスムーズに行なうことができる。
【００１７】
本実施の形態の浴槽用手摺りＡは、前記本体具５の前記上片２と前記縦片３とを断面倒Ｌ字形に一体に形成し、前記補強リブ１０を、前記上片２の上面から前記縦片３の外面に亘って形成することが好ましい。この場合、前記上片２と前記縦片３とから形成される前記本体具５の全体を前記補強リブ１０で補強することができ、前記本体具５の全体を軽量に形成することが可能になって、軽量化の効果をより高く得ることができるものである。
【００１８】
図１乃至図６は本発明の実施の形態の一例を示すものである。本体具５は縦片３の上端に上片２を一体に屈曲して設けることによって、断面倒Ｌ字形に形成されるものである。そして上片２の上面から縦片３の外側面にかけて補強リブ１０が突設してある。補強リブ１０は上片２の先端から、上片２と縦片３の屈曲部を介して、縦片３の下端に至るように長いリブとして形成してある。補強リブ１０は複数本設けられるものであり、図１乃至図６の実施の形態では２本の補強リブ１０を平行に設けるようにしてある。このように２本の補強リブ１０を平行に設けることによって、図２に示すように、上片２の上面に補強リブ１０間においてスライド溝１１が形成されるものである。このスライド溝１１には、上片２の先端付近において、内周に雌ねじ溝を形成したねじ孔１５が穿設してある。図２の実施の形態では、ねじ孔１５はスライド溝１１に沿った２ヶ所に設けるようにしてある。また上片２の下面にはゴムシートなどの滑り止めシート１９が貼ってある。
【００１９】
本体具５の縦片３には手摺り４が取り付けてある。手摺り４は、縦片３の両側端の外面にねじ２０で固定される一対の支柱２１と、両支柱２１の上端間に掛け渡して固定される環状の握り２２とで形成されるものであり、握り２２は本体具５の上片２の上方に配置されるようになっている。
【００２０】
また本体具５の縦片３には操作ハンドル８が設けてある。縦片３の中央部には図５のように雌ねじ筒２４が縦片３の内外に開口するように取り付けてあり、この雌ねじ筒２４に通してボルト軸２５が取り付けてある。雌ねじ筒２４の内周には雌ねじが、ボルト軸２５の外周には雄ねじがそれぞれ形成してあり、雌ねじ筒２４の雌ねじにボルト軸２５の雄ねじを螺合させてある。ボルト軸２５の縦片３の外方へ突出する先端にはハンドルノブ２６が取り付けてある。またボルト軸２５の縦片３の内方へ突出する先端には押圧板９が取り付けてある。押圧板９は四角板として形成されるものであり、図５に示すように、その背面をボルト軸２５の先端に固定軸２７で遊びをもって取り付けてあり、上下左右に揺動回動できるようにしてある。押圧板９の表面側にはゴムシートなどの滑り止めシート２８が貼ってある。
【００２１】
上記のハンドルノブ２６、ボルト軸２５、雌ねじ筒２４で操作ハンドル８が形成されるものであり、ハンドルノブ２６を握ってボルト軸２５を回すと、雌ねじ筒２４に螺合しているボルト軸２５は回す方向に応じて前進あるいは後進する。そしてこのボルト軸２５の前後進によって、押圧板９は縦片３から離れる方向に前進し、また縦片３に近付く方向に後進するものである。
【００２２】
押圧受け具７は、コ字形のグリップ３５を設けた縦部材３６の上端に、グリップ３５と反対側へ水平に屈曲してスライドバー１２を延設することによって、図２のように倒Ｌ字形に形成されるものである。縦部材３６の内側には上記の押圧板９と同じ大きさの押圧受け板６が取り付けてある。押圧受け板６は図５に示すように、縦部材３６に通した固定軸３７によって遊びをもって取り付けてあり、上下左右に揺動回動できるようにしてある。押圧受け板６の表面側にはゴムシートなどの滑り止めシート３８が貼ってある。
【００２３】
押圧受け具７のスライドバー１２は、幅寸法をスライド溝１１の溝幅（補強リブ１０の間隔）とほぼ等しい寸法に、厚みを補強リブ１０の高さ（スライド溝１１の溝深さ）とほぼ等しい寸法に形成してある。またスライドバー１２には全長に亘る範囲で、等間隔で複数の通孔１４が設けてある。この通孔１４は上記の本体具５の上片２に設けた一対のねじ孔１５の間隔と同じ間隔で設けてあり、通孔１４はねじ孔１５より多い個数で設けられるものである。図２の実施の形態では４個の通孔１４ａ〜１４ｄを設けるようにしてある。またスライドバー１２にはその長手方向に沿って等間隔で位置決め用目印１６が設けてある。この位置決め用目印１６はスライドバー１２の上面を幅方向に横切る線状の溝として形成してある。
【００２４】
本体具５に押圧受け具７を取り付けて結合することによって、本発明の浴槽用手摺りＡを組み立てることができるものある。すなわち図１に示すように、本体具５の上片２のスライド溝１１内に押圧受け具７のスライドバー１２を差し込み、スライドバー１２の通孔１４のうち一対の通孔１４からビス１３を、上片２に設けた一対のねじ孔１５にねじ込むことによって、スライドバー１２を上片２にビス１３止め固定することによって、本体具５に押圧受け具７を取り付けて結合することができるものである。
【００２５】
このとき、スライド溝１１内にスライドバー１２を差し込んで、スライド溝１１に対してスライドバー１２を前後にスライドさせると、押圧受け具７に設けた押圧受け板６は本体具５に設けた押圧板９に対して近接離反させる方向に移動することになり、押圧受け板６と押圧板９の間隔を調整することができる。このため、浴槽の側壁１の厚みに応じて、スライドバー１２をスライドさせて、押圧受け板６と押圧板９の間隔を容易に調整することができるものである。図１、図３、図５に示す実施の形態では、スライド溝１１にスライドバー１２を最も深く差し込んで、スライドバー１２に設けた通孔１４のうち、基部の一対の通孔１４ａ，１４ｂに通したビス１３を上片２のねじ孔１５にねじ込み、押圧受け板６と押圧板９の間隔を最も狭くした状態で、本体具５に押圧受け具７を結合するようにしてある。
【００２６】
ここで、上記のように上片２の一対のねじ孔１５にスライドバー１２の基部の通孔１４ａ，１４ｂが合致したときに、スライドバー１２に複数本設けた位置決め用目印１６のうち、最も基部の位置決め用目印１６ａが、補強リブ１０に形成した位置決め基準点３９に合致するように設定してある。図の実施の形態では、補強リブ１０の先端縁を基準点３９として設定してある。従って、この位置決め用目印１６ａが位置決め基準点３９に合致するようにスライドバー１２をスライド溝１１に差し込むと、通孔１４ａ，１４ｂはねじ孔１５に合致することになり、ねじ孔１５がスライドバー１２の下側に隠れて見えないにも拘らず、通孔１４ａ，１４ｂからねじ孔１５にビス１３を容易にねじ込むことができるものである。
【００２７】
また、二番目の位置決め用目印１６ｂは、通孔１４ｂ，１４ｃが一対のねじ孔１５に合致したときに、位置決め基準点３９に合致することになる位置でスライドバー１２に設けてあり、三番目の位置決め用目印１６ｃは、通孔１４ｃ，１４ｄが一対のねじ孔１５に合致したときに、位置決め基準点３９に合致することになる位置でスライドバー１２に設けてある。従って、位置決め用目印１６ｂを位置決め基準点３９に合致させた状態でスライドバー１２をスライド溝１１に差し込むと、通孔１４ｂ，１４ｃからねじ孔１５にビス１３を容易にねじ込むことができるものであり、位置決め用目印１６ｃを位置決め基準点３９に合致させた状態でスライドバー１２をスライド溝１１に差し込むと、通孔１４ｃ，１４ｄからねじ孔１５にビス１３を容易にねじ込むことができるものである。
【００２８】
このように、押圧受け具７のスライドバー１２の複数箇所に設けた通孔１４に通したビス１３を、本体具５の上片２に設けたねじ孔１５に螺合することによって、本体具５に押圧受け具７を結合するようにする。また、複数箇所の通孔１４のうち所定の通孔１４がねじ孔１５に合致する位置を示す位置決め用の目印１６をスライドバー１２に設けるようにしている。この場合には、スライドバー１２をスライドさせて本体具５と押圧受け具７の間隔を調整した後に、スライドバー１２の通孔１４から上片２のねじ孔１５にビス１３を螺合するにあたって、ねじ孔１５に対する通孔１４の位置合せを位置決め用目印１６を利用して行なうことができ、本体具５と押圧受け具７を結合する操作を容易に行なうことができる。
【００２９】
そして、本体具５に設けた押圧板９が浴槽の外側、押圧受け板６を設けた押圧受け具７が浴槽の内側となるように、浴槽の側壁１の上端部に本発明の浴槽用手摺りＡを被せて配置し、本体具５の上片２を浴槽の側壁１の上端面に載置する。この後、ハンドルノブ２６を握って操作することによってボルト軸２５を回し、押圧板９を前進させると、押圧板９が側壁１の外面に、押圧受け板６が側壁１の内面に圧接して、押圧板９と押圧受け板６の間に側壁１が挟みこまれて、図３のように浴槽の側壁１の上端部に浴槽用手摺りＡを取り付けることができるものである。
【００３０】
このように浴槽の側壁１に取り付けた浴槽用手摺りＡの手摺り４に掴まることによって、例えば浴槽に出入りするために側壁１を跨ぐ際の補助とすることができるものである。また浴槽用手摺りＡには浴槽の内側に突出するようにグリップ３５が設けてあるので、浴槽内に座った姿勢から立ち上がるときにこのグリップ３５を握ることによって、立ち上がりの補助とすることができるものである。
【００３１】
ここで、図５に示すように、ハンドルノブ２６はボルト軸２５の先端に押さえ軸３０で止めて、ボルト軸２５の軸回りに回動自在に取り付けてある。またボルト軸２５の外周にロック座金受け３１が固定して取り付けてあり、このロック座金受け３１とハンドルノブ２６の間にトルクロック座金３２が設けてある。ハンドルノブ２６はトルクロック座金３２を介してロック座金受け３１に結合されているものである。そしてハンドルノブ２６を握って回すと、この回転力はトルクロック座金３２を介してロック座金受け３１に伝わり、ボルト軸２５を回動させることができ、ボルト軸２５を前進させて押圧板９を前進移動させることができる。このとき、押圧板９が浴槽の側壁１に当接した状態で、さらにハンドルノブ２６を回そうとすると、ハンドルノブ２６を回す際の回動力が過大になるが、回動力が過大になるとトルクロック座金３２が空回りして、ハンドルノブ２６を回し操作する回動力がボルト軸２５に伝わらなくなる。従って、押圧板９が浴槽の側壁１に接している状態で、ハンドルノブ２６を過大な強い力で回しても、ハンドルノブ２６からの力はボルト軸２５へ伝わらないものであり、過大な力で押圧板９が浴槽の側壁１に圧接されることを防止して、浴槽の側壁１が破損等することを防ぐことができるものである。
【００３２】
そして上記のように形成される浴槽用手摺りＡにあって、手摺り４を設けた本体具５は、その上片２や縦片３に補強リブ１０が設けてあるので、補強リブ１０で上片２や縦片３を補強することができるものである。従って、強度を低下させることなく上片２や縦片３の厚みを薄くすることが可能になり、また強度は高くないが軽量なアルミニウムなどで上片２や縦片３を形成することも可能になるものであり、浴槽用手摺りＡを軽量化することができるものである。
【００３３】
また、押圧受け具７のスライドバー１２はスライド溝１１内に差し込んで嵌合した状態で、ねじ孔１５にビス１３を螺合して、上片２に固定されている。このため、スライドバー１２にその幅方向に移動させるような応力やねじれさせるような応力が作用しても、スライドバー１２はスライド溝１１内において両側の補強リブ１０で幅方向やねじれ方向の移動が規制されるものであり、ビス１３の部分に応力が集中して、ねじ孔１５からビス１３が外れるようなことがなくなり、本体具５に対する押圧受け具７の結合を堅固なものにすることができるものである。
【００３４】
このように、補強リブ１０の間に形成されるスライド溝１１に押圧受け具７のスライドバー１２をスライド自在に差し込むと共にビス１３止め固定することによって、本体具５に押圧受け具７を結合するので、補強リブ１０の間に形成されるスライド溝１１を利用してスライドバー１２を位置決めした状態でスライドさせることができ、本体具５と押圧受け具７の間隔の調整をスムーズに行なうことができると共に、スライドバー１２はスライド溝１１内にはめ込まれた状態で位置が固定されることになって、本体具５と押圧受け具７を堅固に結合することができるものである。
【００３５】
図７乃至図１２は本発明の他の実施の形態を示すものである。この実施の形態では、押圧受け具７として一対のものを用いるようにしている。
【００３６】
本体具５の上片２と縦片３には、中央と両側端の三箇所に補強リブ１０を設け、各補強リブ１０間に２つのスライド溝１１が形成されるようにしてある。３本の補強リブ１０は、中央の補強リブ１０の幅寸法が両側端の補強リブ１０よりも広くなるように形成してある。また一対の押圧受け具７において、各受け具７の押圧受け板６は、本体具５の押圧板９を左右に二分割した大きさに形成してある。その他の構成は、上記の図１〜６のものと同じである。
【００３７】
この実施の形態では、一対の押圧受け具７を本体具５に取り付けることによって、図７のように浴槽用手摺りＡを組み立てることができるものであり、また図１０のように浴槽の側壁１の上端部に浴槽用手摺りＡを取り付けることができるものである。
【００３８】
ここで、一対の押圧受け具７は本体具５に独立して取り付けられるものである。従って図７のように各押圧受け具７のスライドバー１２を本体具５のスライド溝１１の同じ位置に結合して、本体具５の押圧板９と各押圧受け具７の押圧受け板６の間隔が同じになるように設定する他に、図９のように、各押圧受け具７のスライドバー１２をスライド溝１１の異なる位置に結合することによって、押圧板９に対する各押圧受け具７の押圧受け板６の間隔を異なるようにすることができるものである。図９の実施の形態において、一方のスライドバー１２は４つの通孔１４のうち通孔１４ｂ，１４ｃにビス１３を通して、本体具５のねじ孔１５にねじ込んで固定するようにしてある。この場合、スライドバー１２に設けた３本の位置決め用目印１６のうち位置決め用目印１６ｂを、補強リブ１０の先端縁を位置決め基準点３９として合致させることによって、通孔１４ｂ，１４ｃが一対のビス１３に合致するようになっている。また他方のスライドバー１２は４つの通孔１４のうち通孔１４ｃ，１４ｄにビス１３を通して、本体具５のねじ孔１５にねじ込んで固定するようにしてある。この場合、スライドバー１２に設けた３本の位置決め用目印１６のうち位置決め用目印１６ｃを、補強リブ１０の先端縁の位置決め基準点３９に合致させることによって、通孔１４ｃ，１４ｄが一対のビス１３に合致するようになっている。
【００３９】
浴槽の側壁１は同じ厚みが連続するとは限らず、部分的に厚みが異なる箇所がある。特に浴槽のコーナーの部分では側壁１の厚みが徐々に厚くなる場合が多い。このように側壁１の厚みが変化する箇所では、その厚みに応じて、押圧板９と左右一対の押圧受け板６の各間隔を変えることによって、がたつきなく安定して、浴槽の側壁１に浴槽用手摺りＡを取り付けることができるものである。
【符号の説明】
【００４０】
１  側壁
２  上片
３  縦片
４  手摺り
５  本体具
６  押圧受け板
７  押圧受け具
８  操作ハンドル
９  押圧板
１０  補強リブ
１１  スライド溝
１２  スライドバー
【図１】
0005421490.tif 000002
【図２】
0005421490.tif 000003
【図３】
0005421490.tif 000004
【図４】
0005421490.tif 000005
【図５】
0005421490.tif 000006
【図６】
0005421490.tif 000007
【図７】
0005421490.tif 000008
【図８】
0005421490.tif 000009
【図９】
0005421490.tif 000010
【図１０】
0005421490.tif 000011
【図１１】
0005421490.tif 000012
【図１２】
0005421490.tif 000013
【図１３】
0005421490.tif 000014